(57)【特許請求の範囲】
【請求項１】
天面に取出口を有する容器本体と、当該容器本体に取り付けられ、前記取出口をスライド開閉する上蓋とを有し、積層された状態のウェットティシューを収納し、前記取出口からウェットティシューをポップアップ取出しするウェットティシュー収納容器であって、
前記取出口を囲む所定の閉エリアの第１境界部と、前記上蓋を閉じた際に前記第１境界部と対向する前記上蓋における第２境界部との少なくとも一方にパッキンを設け、
該パッキンは、前記上蓋がスライドして閉まることで前記第１境界部と前記第２境界部との間を気密状態にし、
前記取出口から前記上蓋が閉じる向きの側にある前記第１境界部までの距離は、前記取出口から前記上蓋が開く向きの側にある前記第１境界部までの距離に比べて長いことを特徴とするウェットティシュー収納容器。
【請求項２】
天面に取出口を有する容器本体と、当該容器本体に取り付けられ、前記取出口をスライド開閉する上蓋とを有し、積層された状態のウェットティシューを収納し、前記取出口からウェットティシューをポップアップ取出しするウェットティシュー収納容器であって、
前記取出口を囲む所定の閉エリアの第１境界部と、前記上蓋を閉じた際に前記第１境界部と対向する前記上蓋における第２境界部との少なくとも一方にパッキンを設け、
該パッキンは、前記上蓋がスライドして閉まることで前記第１境界部と前記第２境界部との間を気密状態にし、
天面に近い側はポップアップする高さが低く、底面に近づくにつれてポップアップする高さが高くなる折り方で積層されたウェットティシューを収納したことを特徴とするウェットティシュー収納容器。
【請求項３】
天面に取出口を有する容器本体と、当該容器本体に取り付けられ、前記取出口をスライド開閉する上蓋とを有し、積層された状態のウェットティシューを収納し、前記取出口からウェットティシューをポップアップ取出しするウェットティシュー収納容器であって、
前記取出口を囲む所定の閉エリアの第１境界部と、前記上蓋を閉じた際に前記第１境界部と対向する前記上蓋における第２境界部との少なくとも一方にパッキンを設け、
該パッキンは、前記上蓋がスライドして閉まることで前記第１境界部と前記第２境界部との間を気密状態にし、
積層された前記ウェットティシューの折り方向と前記上蓋の開閉方向とが平行であることを特徴とするウェットティシュー収納容器。
【請求項４】
前記容器本体の天面の裏側には、収納されているウェットティシューの癖を調整する舌状体を備えたことを特徴とする請求項１〜３のいずれか一項に記載のウェットティシュー収納容器。
【請求項５】
前記取出口には、スリットを有するフィルムが取り付けられていることを特徴とする請求項１〜４のいずれか一項に記載のウェットティシュー収納容器。
【請求項６】
天面に取出口を有する容器本体と、当該容器本体に取り付けられ、前記取出口をスライド開閉する上蓋とを有し、積層された状態のウェットティシューを収納し、前記取出口からウェットティシューをポップアップ取出しするウェットティシュー収納容器であって、
前記取出口を囲む所定の閉エリアの第１境界部と、前記上蓋を閉じた際に前記第１境界部と対向する前記上蓋における第２境界部との少なくとも一方にパッキンを設け、
該パッキンは、前記上蓋がスライドして閉まることで前記第１境界部と前記第２境界部との間を気密状態にし、
前記ウェットティシューは、包装袋に収納された上で、前記容器本体に収納されるものであって、該包装袋の天面には、包装袋天面取出口が設けられ、
前記包装袋天面取出口の中心位置と前記容器本体の取出口の中心位置との間に平面視における所定の距離を設けたことを特徴とするウェットティシュー収納容器。
【請求項７】
前記包装袋の前記包装袋天面取出口には、スリットを有するフィルムが取り付けられていることを特徴とする請求項６に記載のウェットティシュー収納容器。
【発明の詳細な説明】
【技術分野】
【０００１】
本発明は、ウェットティシューを収納し、保管するウェットティシュー収納容器に関する。
【背景技術】
【０００２】
気密性を有するフィルムにて形成した包装袋にウェットティシューを収納し、該包装袋天面に取出し口を設け、該取出口を開閉可能に覆う蓋体を設けて、蓋体がスライド嵌合する構造を有するウェットティシュー収納袋が知られる（特許文献１，２，３）。蓋支持体と蓋部とは例えば合成樹脂により形成されて、それらが接触して密閉性を得るものである。  
【先行技術文献】
【特許文献】
【０００３】
【特許文献１】特許第３３２２８０５号公報
【特許文献２】特許第３３１８１６６号公報
【特許文献３】特許第４３３８３４２号公報
【発明の概要】
【発明が解決しようとする課題】
【０００４】
ウェットティシューは湿潤性を保つために容器に保管されている。また、ウェットティシューは1枚取出すと、次の1枚の一部分が飛び出る（ポップアップする）状態で開閉蓋を閉じて保管するのが通常である。しかし、開閉蓋を閉じる際にそのポップアップした一部分を開閉蓋に噛み込むことがあり、気密性に影響を及ぼしていた。
【０００５】
本発明の課題は、開閉時に商品の噛み込みをなくし、気密性を確保するウェットティシュー収納容器を提供することである。
【課題を解決するための手段】
【０００６】
前記課題を解決するために、請求項１記載の発明は、天面に取出口を有する容器本体と、当該容器本体に取り付けられ、前記取出口をスライド開閉する上蓋とを有し、積層された状態のウェットティシューを収納し、前記取出口からウェットティシューをポップアップ取出しするウェットティシュー収納容器であって、
前記取出口を囲む所定の閉エリアの第１境界部と、前記上蓋を閉じた際に前記第１境界部と対向する前記上蓋における第２境界部との少なくとも一方にパッキンを設け、
該パッキンは、前記上蓋がスライドして閉まることで前記第１境界部と前記第２境界部との間を気密状態にし、
前記取出口から前記上蓋が閉じる向きの側にある前記第１境界部までの距離は、前記取出口から前記上蓋が開く向きの側にある前記第１境界部までの距離に比べて長いことを特徴とする。
【０００８】
請求項２記載の発明は、天面に取出口を有する容器本体と、当該容器本体に取り付けられ、前記取出口をスライド開閉する上蓋とを有し、積層された状態のウェットティシューを収納し、前記取出口からウェットティシューをポップアップ取出しするウェットティシュー収納容器であって、
前記取出口を囲む所定の閉エリアの第１境界部と、前記上蓋を閉じた際に前記第１境界部と対向する前記上蓋における第２境界部との少なくとも一方にパッキンを設け、
該パッキンは、前記上蓋がスライドして閉まることで前記第１境界部と前記第２境界部との間を気密状態にし、
天面に近い側はポップアップする高さが低く、底面に近づくにつれてポップアップする高さが高くなる折り方で積層されたウェットティシューを収納したことを特徴とする。 
【０００９】
請求項３記載の発明は、天面に取出口を有する容器本体と、当該容器本体に取り付けられ、前記取出口をスライド開閉する上蓋とを有し、積層された状態のウェットティシューを収納し、前記取出口からウェットティシューをポップアップ取出しするウェットティシュー収納容器であって、
前記取出口を囲む所定の閉エリアの第１境界部と、前記上蓋を閉じた際に前記第１境界部と対向する前記上蓋における第２境界部との少なくとも一方にパッキンを設け、
該パッキンは、前記上蓋がスライドして閉まることで前記第１境界部と前記第２境界部との間を気密状態にし、
積層された前記ウェットティシューの折り方向と前記上蓋の開閉方向とが平行であることを特徴とする。 
【００１０】
請求項４記載の発明は、請求項１〜３のいずれか一項に記載のウェットティシュー収納容器であって、前記ウェットティシュー収納容器の天面の裏側には、収納されているウェットティシューの癖を調整する舌状体を備えたことを特徴とする。 
【００１１】
請求項５記載の発明は、請求項１〜４のいずれか一項に記載のウェットティシュー収納容器であって、前記取出口には、スリットを有するフィルムが取り付けられていることを特徴とする。 
【００１２】
請求項６記載の発明は、天面に取出口を有する容器本体と、当該容器本体に取り付けられ、前記取出口をスライド開閉する上蓋とを有し、積層された状態のウェットティシューを収納し、前記取出口からウェットティシューをポップアップ取出しするウェットティシュー収納容器であって、
前記取出口を囲む所定の閉エリアの第１境界部と、前記上蓋を閉じた際に前記第１境界部と対向する前記上蓋における第２境界部との少なくとも一方にパッキンを設け、
該パッキンは、前記上蓋がスライドして閉まることで前記第１境界部と前記第２境界部との間を気密状態にし、
前記ウェットティシューは、包装袋に収納された上で、前記容器本体に収納されるものであって、該包装袋の天面には、包装袋天面取出口が設けられ、前記包装袋天面取出口の中心位置と前記容器本体の取出口の中心位置との間に平面視における所定の距離を設けたことを特徴とする。 
【００１３】
請求項７記載の発明は、請求項６に記載のウェットティシュー収納容器であって、前記包装袋の前記包装袋天面取出口には、スリットを有するフィルムを取り付けたことを特徴とする。 
【発明の効果】
【００１４】
請求項１記載の発明によれば、第１境界部と第２境界部分との間にウェットティシューのポップアップした部分を収納する空間を確保できるので、上蓋開閉時のウェットティシューの噛み込みをなくすことができ、さらに取出口から閉じる側の境界部までの距離を長く確保できるので、噛み込みをなくす効果がさらに高い。
請求項２記載の発明によれば、第１境界部と第２境界部分との間にウェットティシューのポップアップした部分を収納する空間を確保できるので、上蓋開閉時のウェットティシューの噛み込みをなくすことができ、特に、使い始めから使い終わりにかけて、ウェットティシューの残量の如何に関わらずポップアップする量があまり変動しないようにできるので、噛み込みをより効果的に防止できる。
請求項３記載の発明によれば、第１境界部と第２境界部分との間にウェットティシューのポップアップした部分を収納する空間を確保できるので、上蓋開閉時のウェットティシューの噛み込みをなくすことができ、さらにウェットティシューの折り方向が上蓋の開閉方向と平行としたので、ウェットティシューのポップアップ部分は取出口の長手方向と垂直の向きに倒れやすいため上蓋の開閉方向とは垂直の向きにウェットティシューのポップアップ部分がたおれるから、噛み込みを防止できる。
請求項４記載の発明によれば、舌状体を取出口の下方に備えたので、ウェットティシューが必要以上に飛び出ることを抑え、噛み込みを防止できる。
請求項５記載の発明によれば、取出口にスリットを有するフィルムを設けたので、ウェットティシューが必要以上に飛び出ることを抑え、噛み込みを防止できる。
請求項６記載の発明によれば、第１境界部と第２境界部分との間にウェットティシューのポップアップした部分を収納する空間を確保できるので、上蓋開閉時のウェットティシューの噛み込みをなくすことができ、さらにウェットティシューのポップアップした部分を収納する空間を包装袋天面取出口と容器本体の取出口との間に確保できるので、噛み込みをなくす効果が高い。
請求項７記載の発明によれば、ウェットティシューが必要以上に飛び出ることを抑えるのみならず、詰め替え用の包装袋にスリットを有するフィルムを設けるので、詰め替えのたびにスリットを有するフィルムをも交換でき、清潔を保つことができる。 
【図面の簡単な説明】
【００１５】
【図１】ウェットティシュー収納容器の斜視図である。図１（ａ）は上蓋が閉じている状態であり、図１（ｂ）は上蓋が開いている状態である（実施形態１）。
【図２】ウェットティシュー収納容器を上から見た平面図である。図２（ａ）は、上蓋が閉じている状態を示す。図２（ｂ）は、容器本体にアセンブリシャーシのみを取り付けた状態を示す。図２（ｃ）は可動部分を示す。図２（ｄ）は、固定部分に付勢部材を取り付けた状態を示す（実施形態１）。
【図３】上蓋が閉じている状態について、ウェットティシュー収納容器の長手方向の中心線を含む鉛直面で切断した断面図（図３（ａ））、上蓋が開いている状態について、ウェットティシュー収納容器の長手方向の中心線を含む鉛直面で切断した断面図（図３（ｂ））、上蓋が開いている状態についてウェットティシュー収納容器を上から見た平面図（図３（ｃ））である（実施形態１）。
【図４】ウェットティシュー収納容器の取出口と、ウェットティシュー包装袋の取出口との位置関係を示す模式図である（実施形態１）。
【図５】ウェットティシュー収納容器の取出口と、パッキン部分との位置関係を示す模式図である（実施形態２）。
【図６】ウェットティシューのポップアップした部分の収納を示す図である（実施形態３）。
【図７】ウェットティシュー収納容器の取出口と、ウェットティシュー包装袋の取出口との位置をずらしていることを示す図である（実施形態４）。
【図８】取出口のフィルム形状を示す図である（実施形態５）。
【図９】上蓋の開閉方向と取出口の長手方向の向きとの関係を示す図である（実施形態６）。
【図１０】ウェットティシュー積層体の折り方向と、取出口方向と、蓋の開閉方式との関係を評価したことを示す図である（実施形態６）。
【図１１】ケース側パッキンの形状（舌片部を含む）を示す図である（実施形態７）。
【図１２】ウェットティシュー積層体の折り方を説明する概念図である（実施形態８）。
【発明を実施するための形態】
【００１６】
以下、図面を参照しつつ、本発明の実施形態であるウェットティシュー収納容器について詳細に説明する。ただし、発明の範囲は、図示例に限定されない。
【００１７】
≪実施形態１≫
＜ウェットティシュー収納容器の構成＞
まず、本実施形態のウェットティシュー収納容器の構成について説明する。
なお、以下の説明では、ウェットティシュー収納容器の平面視長手方向を左右方向、平面視短手方向を前後方向、高さ方向を上下方向とする。
【００１８】
本実施形態に係るウェットティシュー収納容器１は、例えば、図１（ａ）に示すように、上蓋２０を閉じた状態で前後方向の側面視にて上側の角が丸みを帯びた略長方形状に形成されており、内部にウェットシートやウェットティシュー等のウェットタイプの家庭用薄葉紙Ｐを収納可能に構成されている。なお、ウェットティシュー収納容器１には、ティシューペーパーやキッチンペーパーやペーパータオル等のドライタイプの家庭用薄葉紙Ｐを収納しても良い。
具体的には、ウェットティシュー収納容器１は、例えば、図１（ａ），（ｂ）、図２、図３に示すように、上面に家庭用薄葉紙Ｐを取り出すための取出口１１を有するとともに下面に家庭用薄葉紙Ｐが積層された薄葉紙積層体Ｑを詰め替えるための底面開口１２を有し、内側の収納空間部Ｓに薄葉紙積層体Ｑを収納する容器本体１０と、容器本体１０の上面にスライド移動自在に設けられ、取出口１１を開閉させる蓋体としての上蓋２０と、上蓋２０を容器本体１０に取り付けるためのシャーシ３０と、容器本体１０の底面開口１２を塞ぐ底蓋４０と、上蓋２０を開放状態となる方向に付勢する付勢部材５０と、等を備えて構成される。
【００１９】
ここで、容器本体１０及びシャーシ３０が、上面に取出口１１を有し、内側に家庭用薄葉紙Ｐを収納するケース体として機能する。すなわち、ケース体は、容器本体１０と、当該容器本体１０の上面に固定されるシャーシ３０と、を備えており、上蓋２０は、ケース体のうちシャーシ３０に取り付けられている。
また、容器本体１０、上蓋２０、シャーシ３０及び底蓋４０は、例えば、ＰＰ（ポリプロピレン）、ＰＥ（ポリエチレン）、ＰＥＴ（ポリエチレンテレフタレート）、ＡＢＳ（Acrylonitrile Butadiene Styrene）等の熱可塑性樹脂から形成されている。
また、本実施形態においては、付勢部材５０として、引張コイルばねを用いることとする。
【００２０】
また、薄葉紙積層体Ｑは、例えば、複数枚の家庭用薄葉紙Ｐが積層された詰替え用の薄葉紙積層体であって、ケース体（本実施形態の場合、容器本体１０）に形成された取出口１１から家庭用薄葉紙Ｐを継続して取り出せるように交互に折り重ねられた状態で積層されている。すなわち、家庭用薄葉紙Ｐを取出口１１からケース体の外側へ引き出したときに、次の家庭用薄葉紙Ｐの上端が取出口１１よりも突出する位置まで収納空間部Ｓから引き出されるようになっている。
なお、薄葉紙積層体Ｑを、包装体によって内包することとしても良い。特に、ウェットティシュー収納容器１に収納する家庭用薄葉紙Ｐが、本実施形態のようにウェットタイプの家庭用薄葉紙Ｐである場合には、薄葉紙積層体Ｑを防湿性の包装体によって内包することが好ましい。
【００２１】
容器本体１０は、例えば、図１（ａ），（ｂ）に示すように、当該容器本体１０の上面を構成する上面部１０ａと、当該容器本体１０の前後左右の周面を構成する周面部１０ｂと、からなり、容器本体１０の下面は平面視にて角のとれた略長方形状を呈する底面開口１２となっている。そして、この底面開口１２を塞ぐように取り付けられた底蓋４０と、容器本体１０の上面部１０ａ及び周面部１０ｂと、によって囲まれた空間が、薄葉紙積層体Ｑを収納するための収納空間部Ｓとなる。
なお、本実施形態では、下面が開口した容器本体１０を用い、薄葉紙積層体Ｑを容器本体１０の下面側から詰め替えるように構成したが、これに限ることはなく、例えば、下面は閉口して前後左右の何れかの面が開口した容器本体１０を用い、薄葉紙積層体Ｑを容器本体１０の前後左右の何れかの面側から詰め替えるように構成することも可能である。
【００２２】
容器本体１０の上面部１０ａには、例えば、図３（ａ）、図３（ｂ）に示すように、下側に向けて陥没する凹部１３が設けられており、この凹部１３の底面部１３ａに取出口１１が形成され、さらにそれを取り囲むより広い所定の閉エリアを形成するパッキン部分（第１境界部）が形成されている。なお、本実施形態では、底面部１３ａのうち左右方向（容器本体１０の平面視長手方向）中央よりも一側（本実施形態の場合、右側）にずれた位置にパッキン１４で囲われた第１境界部を設けて、その第１境界部の中央部よりも左に寄った位置に取出口１１を形成したが、これに限ることはなく、例えば、底面部１３ａの左右方向略中央に取出口１１を形成することも可能である。
取出口１１は、容器本体１０の内部の収納空間部Ｓに収納された家庭用薄葉紙Ｐを取り出すための、平面視にて角のとれた略長方形状に形成された開口である。
取出口１１は、上蓋２０が開放状態（図１（ｂ）、図３（ｂ）参照）となった場合に開放され、このとき家庭用薄葉紙Ｐは、取出口１１を通じて一枚毎に収納空間部Ｓから外部に引き出すことができるようになっている。
また、取出口１１は、上蓋２０が閉塞状態（図１（ａ）、図２（ａ）、図３（ａ）参照）となった場合に閉塞されるようになっている。
【００２３】
例えば、図１（ａ）、図２（ｂ）、図３に示すように、第１境界部の周縁には、シリコンゴム等のゴムやオレフィン系エラストマー等の熱可塑性エラストマーなどの弾性体から形成されたケース側パッキン１４が装着されている。また、取出口１１の周縁には、シリコンゴム等のゴムやオレフィン系エラストマー等の熱可塑性エラストマーなどの弾性体から形成されたパッキンが装着され、取出口周縁の気密性を高めている。
また、上蓋２０の下面にも、シリコンゴム等のゴムやオレフィン系エラストマー等の熱可塑性エラストマーなどの弾性体から形成された蓋側パッキン２１が取り付けられている。
蓋側パッキン２１は、上蓋２０の下面のうち上蓋２０の閉塞状態においてケース側パッキン１４に対応する位置（第２境界部）に設けられており、ケース側パッキン１４と蓋側パッキン２１とは、上蓋２０が閉塞状態となった場合に互いに密着して（図５（ａ）参照）、収納空間部Ｓ内の気密性を保持するように構成されている。すなわち、ケース側パッキン１４及び蓋側パッキン２１が、取出口１１を含む容器本体部分と上蓋２０との隙間を封止する気密手段として機能する。
これにより、ウェットティシュー収納容器１に収納する家庭用薄葉紙Ｐが、本実施形態のようにウェットタイプの家庭用薄葉紙Ｐである場合には、家庭用薄葉紙Ｐに含浸した薬液の蒸発を防止できるようになっている。
【００２４】
また、ケース側パッキン１４には、例えば、図３（ａ）、（ｂ）に示すように、当該ケース側パッキン１４の下端部から内側に向けて（取出口１１を塞ぐ方向側に向けて）延出する複数の舌片部（舌状体）１４ａが設けられており、舌片部１４ａ同士の隙間から家庭用薄葉紙Ｐが引き出されるように構成されている。これにより、家庭用薄葉紙Ｐを一枚ずつ引き出しやすくなっている。
なお、本実施形態では、容器本体１０にケース側パッキン１４を設けて上蓋２０に蓋側パッキン２１を設けた、すなわち、容器本体１０と上蓋２０との双方に気密手段を設けたが、これに限ることはなく、気密手段によって取出口１１の周縁と上蓋２０との隙間を封止できるのであれば、例えば、容器本体１０だけに気密手段を設けても良いし、上蓋２０だけに気密手段を設けても良い。また、シャーシ３０に取出口１１が設けられている場合には、シャーシ３０に気密手段を設けても良い。
【００２５】
シャーシ３０は、容器本体１０の凹部１３内に収容された状態で容器本体１０の上面部１０ａに固定されており、上蓋２０は、シャーシ３０を介して容器本体１０に取り付けられている。
シャーシ３０は、例えば、図３（ａ）に示すように、凹部１３の底面部１３ａ上に載置され、取出口１１を取り囲む枠部３１と、閉塞状態の上蓋２０と略面一となるよう枠部３１に支持される上壁部３２と、を備えて構成される。
ここで、本実施形態では、上蓋２０と上壁部３２とを合わせると、平面視にて略楕円形状の板状部材を構成するようになっている。また、上蓋２０及び上壁部３２は、前後方向（短手方向）に下方へ凸となるよう湾曲した形状をなしている。
【００２６】
シャーシ３０の枠部３１（具体的には、枠部３１の連結部３１ｃ（図３（ｂ）参照））の上面には、例えば、図２（ｄ）に示すように、付勢部材５０の一端と係合する固定側係合部３３が設けられている。
また、上蓋２０の下面のうち前後方向略中央の位置には、例えば、図２（ｃ）、図３（ａ）に示すように、付勢部材５０の他端と係合する可動側係合部２２が設けられている。
ここで、例えば、図２、図３に示すように、本実施形態において、ウェットティシュー収納容器１は、付勢部材５０である引張コイルばねを２本備えている。また、シャーシ３０の枠部３１は、固定側係合部３３を２つ備えている。この２つの固定側係合部３３は、上蓋２０とシャーシ３０とが組み合わされた状態で所定の直線（具体的には、左右方向（長手方向）に平行で可動側係合部２２を通る直線）に対して互いに線対称となる位置に配置され、かつ、上蓋２０の閉塞状態における可動側係合部２２との間隔が、上蓋２０の開放状態における可動側係合部２２との間隔よりも長くなるように、枠部３１に設けられている。そして、２本の付勢部材５０のうち一方の一端が、２つの固定側係合部３３のうちの一方に掛止されるとともに、２本の付勢部材５０のうち他方の一端が、２つの固定側係合部３３のうちの他方に掛止され、２本の付勢部材５０の双方の他端が、上蓋２０に設けられた可動側係合部２２に掛止されている。
【００２７】
上蓋２０が右側（すなわち、上壁部３２側）へとスライド移動して開放状態から閉塞状態に移行すると、付勢部材５０の一端に係合する固定側係合部３３と、付勢部材５０の他端に係合する可動側係合部２２と、の間隔が長くなるので、付勢部材５０は左側（すなわち、上壁部３２とは反対側）に付勢された状態になる。すなわち、付勢部材５０は、上蓋２０の閉塞状態において、当該上蓋２０を開放状態となる方向に付勢している。そして、付勢部材５０の付勢力に抗する力が解除されると、付勢部材５０の付勢力によって上蓋２０が左側（すなわち、上壁部３２とは反対側）に引っ張られて、取出口１１が開放される。
ここで、付勢部材５０は、伸縮部材により構成され、シャーシ３０の固定側係合部３３が、ケース体（本実施形態の場合、シャーシ３０）に設けられ付勢部材５０の一端と係合する固定点として機能し、上蓋２０の可動側係合部２２が、上蓋２０に設けられ付勢部材５０の他端と係合する可動点として機能する。
そして、付勢部材５０、シャーシ３０の固定側係合部３３及び上蓋２０の可動側係合部２２が、上蓋２０を開放状態となる方向にスライド移動させる可動機構として機能する。
なお、本実施形態では、固定側係合部３３（固定点）をシャーシ３０に設けたが、これに限ることはなく、固定側係合部３３（固定点）は、容器本体１０に設けても良い。
【００２８】
また、本実施形態では、付勢部材５０、シャーシ３０の固定側係合部３３及び上蓋２０の可動側係合部２２は、上蓋２０が、開放状態である場合も、閉塞状態である場合も、開放状態から閉塞状態に移行する途中の状態である場合も、閉塞状態から開放状態に移行する途中の状態である場合も、凹部１３内に配置された状態で上蓋２０に上方から覆われているので、ウェットティシュー収納容器１の外部から視認することができない。
すなわち、上蓋２０は、当該上蓋２０の状態にかかわらず、外部から視認不能に付勢部材５０、シャーシ３０の固定側係合部３３及び上蓋２０の可動側係合部２２を遮蔽している。これにより、ウェットティシュー収納容器１の美観が向上するとともに、付勢部材５０、シャーシ３０の固定側係合部３３及び上蓋２０の可動側係合部２２が触られることを防止できるようになっている。
【００２９】
さらに、本実施形態では、凹部１３の底面部１３ａが、容器本体１０の内側（収納空間部Ｓ側）から視認不能に付勢部材５０、シャーシ３０の固定側係合部３３及び上蓋２０の可動側係合部２２を遮蔽しているので、付勢部材５０、シャーシ３０の固定側係合部３３及び上蓋２０の可動側係合部２２が、容器本体１０の内側から触られることも防止できるようになっている。
【００３０】
例えば、図３に示すように、上蓋２０の右端部（すなわち、上壁部３２側の端部）には、下側に向けて突出する爪部２３が設けられている。
また、シャーシ３０には、上壁部３２の一部を操作面３４ａとしたスイッチ部３４が設けられている。スイッチ部３４は、前後方向に沿って延設された軸部３４ｂを回動軸として回動可能に構成されており、左端側（すなわち、上蓋２０側）に爪部２３が上方から進入して係合する爪受部３４ｃを有している。また、スイッチ部３４は、図示しない付勢部材によって、押圧されて回動する方向とは逆方向に付勢されている。
【００３１】
上蓋２０が開放状態である際に、付勢部材５０の付勢力に抗する力を作用させて上蓋２０を右側（すなわち、上壁部３２側）へとスライド移動させると、まず、上蓋２０の爪部２３がスイッチ部３４の爪受部３４ｃに当接する。さらに上蓋２０を右側へとスライド移動させると、爪受部３４ｃが爪部２３に押されてスイッチ部３４の付勢部材の付勢力に抗する力が作用し、爪受部３４ｃが下側へと移動するようにスイッチ部３４が回動する。そして、上蓋２０が閉塞状態になってスイッチ部３４の付勢部材の付勢力に抗する力が解除されると、スイッチ部３４の付勢部材の付勢力によって爪受部３４ｃがもとの位置に戻るよう（すなわち、操作面３４ａが上壁部３２の表面と略面一の状態となるよう）にスイッチ部３４が回動して、爪部２３と爪受部３４ｃとが係合する。これにより、上蓋２０の閉塞状態を維持できるようになっている。
【００３２】
また、爪部２３と爪受部３４ｃとが係合している際に、スイッチ部３４の操作面３４ａが押圧されてスイッチ部３４の付勢部材の付勢力に抗する力が作用すると、爪受部３４ｃが下側へと移動するようにスイッチ部３４が回動する。そして、スイッチ部３４の回動に伴い爪部２３と爪受部３４ｃとの係合が解除されると、付勢部材５０の付勢力によって上蓋２０が左側（すなわち、上壁部３２とは反対側）へとスライド移動して開放状態になる。
すなわち、爪部２３及び爪受部３４ｃが、付勢部材５０の付勢力に抗して上蓋２０が閉塞状態となるように係止するとともに、当該係止を解除可能な係止手段として機能する。
なお、本実施形態では、係止手段による係止を解除する際に押圧されるスイッチ部３４をシャーシ３０に設けたが、これに限ることはなく、スイッチ部３４は、容器本体１０に設けても良い。
【００３３】
本実施形態においては、シャーシ３０の枠部３１の一部が、上蓋２０を直線的にスライド移動するようガイドするレール部３１ａになっている。具体的には、例えば、図３（ｃ）に示すように、シャーシ３０の枠部３１は、左右方向に沿って延設され、前後方向に並ぶレール部３１ａ，３１ａと、レール部３１ａ，３１ａの右端部（すなわち、上蓋２０の閉塞状態となる方向側の端部）同士を連結するとともに上壁部３２を支持する支持部３１ｂと、レール部３１ａ，３１ａの左端部（すなわち、上蓋２０の開放状態となる方向側の端部）同士を連結する連結部３１ｃと、からなる。
また、例えば、図３（ｃ）に示すように、上蓋２０には、レール部３１ａに対してスライド移動可能に係合するスライド部２４が設けられている。スライド部２４は、例えば、上蓋２０とシャーシ３０とが組み合わされた状態で、当該スライド部２４の下面が、対応するレール部３１ａの上面に当接するように、上蓋２０の下面から垂下する垂壁部（図示省略）の下端に接続されている。
これにより、上蓋２０をスムーズかつ確実に開閉できるようになっている。
なお、本実施形態では、上蓋２０のスライド移動をガイドするためのレール部３１ａをシャーシ３０に設けたが、これに限ることはなく、レール部３１ａは、容器本体１０に設けても良い。
【００３４】
ここで、例えば、図３（ｃ）に示すように、スライド部２４の左端部（すなわち、上蓋２０の開放状態となる方向側の端部）には、上蓋２０が開放状態となる際の衝撃を吸収するダンパー２４ａが設けられている。
また、例えば、図３（ｃ）に示すように、容器本体１０の凹部１３の周縁のうち、上蓋２０の閉塞状態においてスライド部２４の左端側（ダンパー２４ａを含む）に対応する位置には、上蓋２０が閉塞状態から開放状態へと移行する際にスライド部２４が入り込む横穴部１５が形成されており、上蓋２０の開放状態において、横穴部１５内でスライド部２４のダンパー２４ａが容器本体１０に当接するように構成されている。すなわち、スライド部２４が容器本体１０に衝突することによって、付勢部材５０の付勢力による上蓋２０のスライド移動が停止するように構成されており、当該衝突の際の衝撃を、ダンパー２４ａによって吸収できるようになっている。
なお、本実施形態では、撓むことで衝撃を吸収できるようにダンパー２４ａを左方へ凸となるよう内側から外側に向けて湾曲した弓状に形成したが、これに限ることはなく、ダンパー２４ａの形状は、上蓋２０が開放状態となる際の衝撃を吸収できるのであれば、適宜任意に変更可能である。
【００３５】
例えば、図１、図３に示すように、上蓋２０には、上蓋２０を閉める際等に指を掛けるための可動側指掛部２５が設けられている。具体的には、上蓋２０には、可動側指掛部２５として、当該上蓋２０の右端部（すなわち、上蓋２０の閉塞状態となる方向側の端部）を上側に向けて起立させることによって形成された突起部が設けられている。また、上蓋２０には、可動側指掛部２５に掛けた指を載置するための指載置部２６として、当該上蓋２０の上面を下側に向けて窪ませることによって形成された凹部が設けられている。
また、ケース体（本実施形態の場合、シャーシ３０）のうち係止手段（本実施形態の場合、爪受部３４ｃ）よりも右側（すなわち、上蓋２０の閉塞状態となる方向側）には、上蓋２０を閉める際等に指を掛けるための固定側指掛部３５が設けられている。具体的には、シャーシ３０には、固定側指掛部３５として、シャーシ３０の端部（本実施形態の場合、上壁部３２の右端部）を上側に向けて起立させることにより形成された突起部が設けられている。
【００３６】
すなわち、可動側指掛部２５の左側（すなわち、固定側指掛部３５とは反対側）に指を掛けて上蓋２０を閉める際に、固定側指掛部３５の右側（すなわち、可動側指掛部２５とは反対側）に指を掛けて容器本体１０に左方向の力（上蓋２０に作用させる力とは逆方向の力）を作用させて容器本体１０が滑らないように容器本体１０を固定しておくことができるように構成されている。これにより、片手で上蓋２０を閉めることができるようになっている。
また、本実施形態の場合、固定側指掛部３５は、スイッチ部３４に離間してケース体（本実施形態の場合、シャーシ３０）に設けられている。これにより、固定側指掛部３５に掛けた指でスイッチ部３４を誤操作してしまうことを防止できるようになっている。
なお、本実施形態では、固定側指掛部３５をシャーシ３０に設けたが、これに限ることはなく、固定側指掛部３５は、容器本体１０に設けても良い。
【００３７】
例えば、図３（ｂ）に示すように、上蓋２０の下面には、先端が左側（すなわち、上蓋２０の開放状態となる方向側）を向くよう前後方向の側面視略逆Ｌ字状に突出する突片部２７が設けられている。
また、例えば、図３に示すように、容器本体１０の凹部１３の周縁のうち、上蓋２０の閉塞状態において突片部２７の先端側（ダンパー２７ａ（後述）を含む）に対応する位置には、上蓋２０が閉塞状態から開放状態へと移行する際に突片部２７が入り込む横穴部１６が形成されており、上蓋２０が開放状態になると、上蓋２０の突片部２７の先端側が容器本体１０の横穴部１６に入り込んで、突片部２７の上下方向の移動が規制されるように構成されている。これにより、上蓋２０の開放状態において、上蓋２０の左端側が上方向へと移動して上蓋２０が起き上がってしまうことを防止できるようになっている。
【００３８】
ここで、例えば、図３に示すように、突片部２７の先端部には、上蓋２０が開放状態となる際の衝撃を吸収するダンパー２７ａが設けられており、上蓋２０の開放状態において、横穴部１６内で突片部２７のダンパー２７ａが容器本体１０に当接するように構成されている。すなわち、突片部２７が容器本体１０に衝突することによっても、付勢部材５０の付勢力による上蓋２０のスライド移動が停止するように構成されており、当該衝突の際の衝撃を、ダンパー２７ａによって吸収できるようになっている。
【００３９】
なお、本実施形態では、撓むことで衝撃を吸収できるようにダンパー２７ａを左方へ凸となるよう上側から下側に向けて湾曲した弓状に形成したが、これに限ることはなく、ダンパー２７ａの形状は、上蓋２０が開放状態となる際の衝撃を吸収できるのであれば、適宜任意に変更可能である。
また、本実施形態では、突片部２７にダンパー２７ａを設けてスライド部２４にダンパー２４ａを設けた、すなわち、突片部２７とスライド部２４との双方にダンパーを設けたが、これに限ることはなく、ダンパーによって上蓋２０が開放状態となる際の衝撃を吸収すること（衝撃を緩めること）ができるのであれば、例えば、突片部２７だけにダンパーを設けても良いし、スライド部２４だけにダンパーを設けても良いし、突片部２７及びスライド部２４以外の部分にダンパーを設けても良い。また、ダンパーは、上蓋２０側ではなく、ケース体（容器本体１０やシャーシ３０）側に設けても良いし、上蓋２０側とケース体側との双方に設けても良い。突片部２７にダンパーを設けない場合は、上蓋２０の開放状態において、突片部２７が横穴部１６内で容器本体１０に当接しないように構成することが好ましい。また、スライド部２４にダンパーを設けない場合は、上蓋２０の開放状態において、スライド部２４が横穴部１５内で容器本体１０に当接しないように構成することが好ましい。
【００４０】
なお、本実施形態では、スライド部２４の左端側が入り込む横穴部１５の上方が上面部１０ａによって塞がれるように構成したが、これに限ることはなく、横穴部１５は上方に開口していてもよい。
また、突片部２７は、上蓋２０が起き上がってしまうことを防止するために設けられているが、本実施形態のように、スライド部２４の左端側が入り込む横穴部１５の上方が上面部１０ａによって塞がれている場合には、スライド部２４によって、上蓋２０が起き上がってしまうことを防止することができる。具体的には、この場合には、上蓋２０が開放状態になると、上蓋２０のスライド部２４の左端側が容器本体１０の横穴部１５に入り込んで、スライド部２４の上下方向の移動が規制され、上蓋２０が起き上がってしまうことを防止することができるので、突片部２７を設けなくてもよい。
【００４１】
＜ウェットティシュー収納容器の製造方法＞
次に、本実施形態のウェットティシュー収納容器の製造方法の一例について、図２，３を参照して説明する。
まず、シャーシ３０に、付勢部材５０と上蓋２０とを組み付けてアセンブリ体Ａを形成する。
次いで、アセンブリ体Ａを容器本体１０に取り付ける。具体的には、シャーシ３０の下面に設けられた複数（本実施形態の場合、５個）の嵌合凸部（図示略）と、容器本体１０の凹部１３の底面部１３ａに嵌合凸部に対応させて設けられた嵌合孔部（図示略）と、が嵌合するよう、アセンブリ体Ａを、容器本体１０の凹部１３内に当該凹部１３の上方から嵌め込むことによって、容器本体１０に取り付ける。すなわち、付勢部材５０と上蓋２０とは、シャーシ３０に組み付けられて一体に構成されたアセンブリ体Ａの状態で、容器本体１０に取り付けられている。これにより、上蓋２０と付勢部材５０とシャーシ３０とを別々に容器本体１０に取り付ける手間を省くことができるようになっている。
なお、本実施形態では、シャーシ３０に設けられた嵌合凸部と、容器本体１０に設けられた嵌合孔部と、を嵌合させることによって、アセンブリ体Ａを容器本体１０に固定するよう構成したが、これに限ることはなく、例えば、ねじ等によってアセンブリ体Ａを容器本体１０に固定しても良い。
【００４２】
≪上蓋のスライド開閉機構について≫
本願発明の実施形態と実施例とでは、取出口１１、上蓋２０を含む容器本体１０の天面における構成は、同様のものを用いて説明している。ここで、図３（ｂ）の上蓋が開いている状態を示す断面図と、図３（ａ）の上蓋が閉じている状態を示す平面図とを参照しつつ、上蓋２０の開閉を実現する構成について板状のアセンブリシャーシを用いた例を挙げて説明する。
付勢部材５０、パッキン１４、２１を除く部品（容器本体１０、上蓋２０、スイッチ部３４、シャーシ３０、アセンブリシャーシ６０など）は、合成樹脂の成型品として作製することができる。
容器本体１０は、ここでは天面に長手方向に延びる長円状の凹部１３を有しており、その凹部１３に上蓋２０のスライド開閉機構、開いた状態に付勢する付勢部材５０、閉じた状態に固定する爪受部３４ｃ、爪受部３４ｃの固定を解除するためのスイッチ部３４などを収容する。
取出口１１及びそれを取り囲むように設けられたパッキン１４は、上述した実施形態における本体容器１０に設けることもできるが、別の部材として板状の部材６０（ここで、アセンブリシャーシと呼ぶ）に設けて、例えば容器本体１０の裏側（内側）から嵌めこまれることとしてもよい。嵌め込むための形状としては貫通しない凹み部分とそれに嵌合する突起とをもって嵌合させ、一度嵌め込めば、外すのが困難であるように成型品の設計をすることができる。貫通しない凹み部分とするのは、容器の密閉性（気密性）を確保するためである。
【００４３】
上蓋２０をスライド開閉させる機構について、固定部分と可動部分とに分けて説明する。
固定部分及び可動部分は、アセンブリシャーシ６０に取り付ける。実際の工場の作業にあっては、容器本体１０に取り付ける前のアセンブリシャーシ６０に固定部分及び可動部分を取り付けてから、上蓋２０が閉じた状態にして、アセンブリシャーシ６０を容器本体１０の裏側（内側）から容器本体１０の長円状の孔に固定部分及び可動部分が嵌るようにし、かつ容器本体１０の裏側の凹み部分（リブ）にアセンブリシャーシ側の突起が嵌合するように嵌めこむことができる。その後、容器本体１０の天面側からスイッチ部３４を押すことにより、爪受部３４ｃの引っかかりを解除し、上蓋２０を開いた状態にする。この状態がサブアセンブリ状態（組み立て途中）、すなわちウェットティシュー積層体を収納する前の状態である。
【００４４】
アセンブリシャーシ６０に取り付ける固定部分は、スイッチ部３４、固定側指掛部３５、レール部３１ａ，３１ａを含む部分である。これらは、それぞれを成型品として製造したのちに、アセンブリシャーシに嵌め込むことにより組み上げることができる。また、これらのうちの一部（例えば、固定側指掛部３５、レール部３１ａ，３１ａ）をアセンブリシャーシと一体成型する変形例も可能である。スイッチ部３４については、ユーザにより動かして上蓋２０の閉まっている状態を解除するものであるので、動く部分を含むので、アセンブリシャーシとの一体成型にはなじまない。
スイッチ部３４の動く部分については、別の部品として作製して、後から嵌め込む。
【００４５】
固定側指掛部３５は、動かない部分であり、アセンブリシャーシ６０に取り付ける固定部分（上蓋２０が閉じている状態において、上蓋２０の延長された面となる部分）と一体的に成型され得る。固定側指掛部３５を容器本体１０との一体成型又はアセンブリシャーシ６０との一体成型することも可能である。
不側指掛部３５は、上蓋２０が開いている状態から、閉じようとするときに、ユーザの手指のうちの例えば人差し指が掛かる部分である。そのときユーザの手指のうちの例えば親指が可動側指掛部２５に掛かる。そして、親指と人差し指とを使って、上蓋２０を閉じる。
【００４６】
レール部３１ａ，３１ａは、取出口１１の前後両側にそれぞれ一つずつ設けられる。レール部３１ａ，３１ａは、固定部分に設けられて、動かない部分である。レール部３１ａ，３１ａは、スライド部２４を滑らせる。レール部３１ａを例えば、溝として構成し、スライド部２４をその溝内を滑る突起状の部材として構成することができる。また、レール部３１ａを金属棒として構成し、スライド部２４を当該金属棒の周りに設けた円筒状（又は円筒から一部を欠いた形状として金属棒を嵌め込むことを可能とした形状）の部材として滑らすように構成してもよい。
【００４７】
可動部分は、上蓋２０とその裏側に設けられ、上蓋２０が閉じた状態で取出口１１の周囲のケース側パッキン１４と合わさって密閉度を高める蓋側パッキン２１と、レール部３１ａ，３１ａを摺動するスライド部２４、２４とを有する（図３（ｂ）、図５（ｂ）では、上蓋２０の裏側に設けられた部材は破線で描いてある）。また、付勢部材を取り付ける可動側係合部２２が設けられている（図３（ｂ）に描いた蓋側パッキン２１の左側で前後における中央部分）。
組み立て工程にあっては、アセンブリシャーシに上述した固定部分を取り付けてから、コイルばね（付勢部材）５０、５０を固定部分の図３（ｂ）の左端の上下２箇所に設けた固定側係合部３３、３３に取り付ける。付勢部材５０，５０（二つのバネ）の他端は、可動側係合部２２に取り付けられる。当該取り付けを行ってからスライド部２４，２４をレール部３１ａ，３１ａに摺動可能に取り付ける（またはスライド部２４、２４をレール部３１ａ、３１ａに摺動可能に取り付けてから付勢部材５０、５０を取り付ける）。
【００４８】
付勢部材５０は、ここでは金属を材料とするつるまきバネを使うことができる。ゴム、エラストマーなどの弾性部材を引っ張りバネ、又は板バネのようにして用いて、必要な動力伝達機構とともに用いて、コイルばねの代わりに用いてもよい。
付勢部材５０は、上蓋２０が開く方向に付勢される。つまり、上蓋２０が開いている状態では、付勢部材５０は自然長に近い状態すなわち負荷のかからない状態にある。それに対して上蓋２０が閉じている状態では、付勢部材５０は伸びており負荷の掛かる状態にある。上述したように、上蓋２０が開いている状態から閉じるには、ユーザが手指を用いて付勢部材５０に抗して上蓋２０をスイッチ部３４に近づける。上蓋２０のスイッチ部３４に近い側には、爪受部３４ｃに引っかかる部材である爪部２３があり、爪受部３４ｃに引っかかることにより上蓋２０が閉じた状態で固定される。スイッチ部３４をユーザが押すと、爪受部３４ｃにおける引っ掛かりが解除されて、上蓋２０は、付勢部材５０により引っ張られて開く。
【００４９】
次に、本願発明の実施形態１―８について述べる。これらの実施形態は、いずれも本願発明の主眼である「ポップアップしたウェットティシューの噛みこみを防止することで気密性を保つパッキン」という目的に沿ったものである。実施形態１−８のそれぞれに特徴的な構成のほかは、上述した構成と同じであってよいので、同一の部材については同一の符号を用いて説明する。しかし、上蓋２０、取出口１１を含む容器本体１０の天面の構成は、上蓋２０がスライド開閉のものであって、開閉の際にパッキンを用いて気密性を高めるようなものであれば他の構成であってもよい。したがって、容器本体１０の天面についての構成は、そのような条件を充足するような変形例を許容する。このことは、実施形態１から８までに共通する。
【００５０】
本願発明の実施形態１−８に共通して「第１境界部」、「第２境界部」の語を用いたが、「第１境界部」と「第２境界部」とは、上蓋２０が閉まっている状態において嵌合することにより、ポップアップしているウェットティシューを収納する密閉空間を形成する部分である。そして、ケース側パッキン１４と蓋側パッキン２１とが上蓋２０が閉まっている状態において嵌合するときに、当該密閉空間を形成するので、通常は第１境界部にケース側パッキン１４が設けられ、第２境界部に蓋側パッキン２１が設けられる。
しかし、Ｏ字型パッキンとＣ字型パッキンの例（後述）のように閉領域を構成しないパッキンを用いる場合でも双方を嵌合させた状態では閉領域を形成し得る。そこで、パッキンが設けられない場合には、対向する箇所にパッキンが設けられる部分となる部分を概括して「第１境界部」、「第２境界部」ということとしたものである。
【００５１】
≪実施形態１：ウェットティシュー包装袋天面取出口の位置とウェットティシュー収納容器の取出口との位置をずらす≫
本発明の実施形態１として、ウェットティシュー包装袋天面取出口の位置とウェットティシュー収納容器の取出口との位置をずらすことにより、ポップアップしたウェットティシューを収納するスペースを稼ぎ、上蓋を閉めるときの噛みこみを防止することを提案する。
図４は、ウェットティシュー包装袋天面の取出口と、ウェットティシュー収納容器の取出口との位置関係を示す模式図である。ウェットティシュー収納容器１の容器本体１０には取出口１１が設けられている。そして、ウェットティシュー包装袋７０にも包装袋天面取出口７１が設けられている。図４（ａ）は、取出口１１の真下に包装袋天面取出口７１を設けた例であり、取出口１１の長手方向の中央線と包装袋天面取出口７１の長手方向との中央線とは平面視において重なっている。
【００５２】
それに対して、図４（ｂ）においては、取出口１１と包装袋天面取出口７１とをずらして設けた例であり、図４（ｃ）においては、さらに大きくずらした例である。図４（ｂ）、（ｃ）を見てわかるように、取出口１１の長手方向中央線と包装袋天面取出し口７１の長手方向の中央線との平面視におけるずれが大きければ大きいほど、ポップアップしたウェットティシューを収納するスペースを稼ぐことができる。それにより噛みこみを防止できる。上述した実施形態では、当該ずれを平面視８ミリメートルとしている。
【００５３】
≪実施形態２：取出口よりも外側にパッキンを設ける≫
図５は、ウェットティシュー収納容器の取出口と、パッキン部分との位置関係を示す模式図である。ここでは、従来からある回動軸を中心として回動する開閉蓋を備えたウェットティシュー収納容器について適用した場合について説明する。従来のその種の容器では、取出口を含む比較的小さい領域をパッキン部分として、開閉蓋のうら側に設けたパッキン部分と嵌合するようにして密閉空間を構成し、その空間にポップアップしたウェットティシューを収納することとしていた。
しかし、ポップアップしたウェットティシューをユーザの手により折りたたんでその空間に入れ込まなければならないこともあったため、手間が掛かるのみならず、当該折りたたみの動作により雑菌が入り込むことにもなった。
そこで、実施形態２にあっては、パッキン部分８５を取出口８１を含むより広い空間として、ユーザが折りたたまずにポップアップしたウェットティシューを収納できる広さとする。当該パッキン部分を構成するには、取出口８１を囲む所定のエリアの第１境界部と、上蓋を閉じた際に第１境界部と対向する上蓋における第２境界部との少なくとも一方にパッキンを設ける。そして、当該パッキンは上蓋が閉まることで第１境界部と第２境界部との間を気密状態にする。
この実施形態２を説明するに当たって、回動軸を中心として回動する開閉蓋を備えたウェットティシュー収納容器についての適用することとしたが、パッキン部分を広くとることによりポップアップするウェットティシューを収納する部分を広く確保することはスライド開閉についての適用もできる。
【００５４】
≪実施形態３：取出口をパッキン部のうちの開ける方向に寄せる≫
図６は、スライド開閉する上蓋を有するウェットティシュー収納容器においてウェットティシューのポップアップした部分の収納を示す図である。図６（ａ）では、取出口１１を含むパッキン部分は、上蓋２０の裏側に設けられた蓋側パッキン２１と容器本体１０側に設けられたケース側パッキン１４との嵌合により構成される。そして、この嵌合は上蓋２０のスライド開閉の移動において、スライドして閉まることで気密状態にするようにパッキン形状、構造が設けられている。
ここで、ケース側パッキン１４が設けられている容器本体１０側のエリアが第１境界部であり、蓋側パッキン２１の設けられている上蓋２０のエリアが第２境界部である。第1境界部と第２境界部との双方にパッキンを設けた例を図６（ａ）には示してあるが、一方のみに設ける例、双方に開いた形状のパッキンを設けて上蓋２０が閉じた状態で閉じた領域が完成する形状にする例などが可能である。
【００５５】
図６（ｂ）では、取出口１１を設ける位置を上蓋２０の閉じる位置から長い距離を確保した位置としている。これによりポップアップしたウェットティシューを収納する空間を確保できる。このとき取出口１１からポップアップするウェットティシューの高さよりも、取出口から上蓋が閉じる向きの側にある第１境界部までの距離が長いようにすることで、ポップアップしたウェットティシューにユーザが触れることなく、上蓋２０を閉めるだけで、噛み込むことなくポップアップしたウェットティシューを収納できる。
また、図６（ｂ）では、上蓋２０の開く方向に取出口１１を寄せて設けているともいえる。つまり、取出口から上蓋が閉じる向きの側にある第１境界部までの距離は、取出口から上蓋が開く向きの側にある第１境界部までの距離に比べて長い。そのように取出口と上蓋との位置関係を定めることにより、ポップアップしたウェットティシューを収納するスペースをより大きく確保できる。ここで閉じる向きとは、上蓋２０がスライド移動して閉じる際に動いていく先の方向を意味し、開く向きとは上蓋２０がスライド移動して開く際に動いていく先の方向を意味する。
上蓋２０がスライド移動して閉じる際には、蓋側パッキン２１はポップアップしたウェットティシューと接触しつつ移動するので、パッキンが薬液を取り込み濡れることでパッキン同士の密着度を高める。パッキンが軟質材からなる場合には、その効果がより高い。
【００５６】
≪実施形態４：取出口の位置を包装袋取出口の位置からずらすことで待機スペースを確保する≫
図７（ａ）は、ウェットティシュー収納容器の取出口と、ウェットティシュー包装袋の取出口との位置をずらしていることを示す図である。図７（ａ）では、上蓋２０が開いている状態を示している。ここでは、容器本体１０の側の取出口１１を包装袋天面取出口７１の位置から所定の距離（例えば８ミリメートル）だけスイッチ方向にずらして設けている。図７（ａ）では、包装袋天面取出口７１が透けて見えるように描いてある。容器本体１０の当該箇所の部材を透明にすることで、上蓋２０の開放時に包装袋天面取出口７１がユーザから見えるようにすることができる。その場合に、積層されたウェットティシューの最上部の一枚目を取りやすいのは無論であるが、不透明の場合であっても、数ミリメートル程度のずれであれば、ユーザが指を入れて探ることで最初の一枚目を掴んで引き出すことが可能である。
【００５７】
このように、包装袋天面取出口７１を容器本体の取出口１１から平面視において所定の距離を設けることで、包装袋と取出口１１との間にポップアップしたウェットティシューの収納スペースを確保することができる。
なお、ここでは、数ミリメートルというわずかの距離としたが、図４（ｂ）、（ｃ）に描いたように比較的大きな隔たりを設けた場合には、包装袋を容器本体に収納する際にあらかじめ最上部の一枚目を引き出して容器本体の取出口１１から指が届く範囲に一枚目のポップアップしたウェットティシューが位置するようにして収納することにより使用が可能となる。
【００５８】
図７（ｂ）は、取出口１１を含む広い範囲をパッキン１４で囲む様子を示している。上蓋２０は、スライド移動することでパッキン１４と嵌合してウェットティシューを密閉する空間を形成する。
図７（ｃ）は、横から見た模式図である。取出口１１を形成する部材の高さはパッキン１４の高さよりも低い。ポップアップしたウェットティシューはパッキンにより形成された空間に十分に収納され得る。図７（ｄ）は、包装袋に収納されたウェットティシューの積層体Ｑを示している。Ｚ字型に折られた構造となっており、当該折り幅がポップアップの高さを決定する。折り幅を工夫してポップアップの高さをコントロールすることについては実施形態８において後述する。図７（ｄ）では、包装袋を描いてはいないが、包装袋の天面には包装袋天面取出口７１が設けられる。
【００５９】
図７（ｅ）は、上述したパッキン部分（第１境界部と第２境界部とが嵌合することにより形成される密閉空間）を構成するパッキン以外の部材、すなわち上蓋２０の裏側と容器本体１０の一部の部材の断面形状を示したものである。図７（ｅ）に示すような吸盤形状又は凸形状とすることにより、ウェットティシューに浸透された薬液を保持しやすい形状とする。これにより、パッキンが薬液を含み濡れやすくなり、パッキン同士の嵌合をより密着度の高いものとする。
図７（ｆ）は、パッキン１４又はパッキン２１の表面形状をその断面により示したものである。パッキン１４又はパッキン２１も図７（ｆ）に描く吸盤形状又は凸形状とすることでウェットティシューに浸透している薬液を取り込みやすくなる。それによりパッキン同士の密着性を高める。
【００６０】
≪実施形態５：取出口にフィルムを取り付ける≫
図８は、取出口１１のフィルム形状を示す図である。図８（ｇ）に示すように、容器本体１０の取出口１１の下側にフィルム９０を設ける。容器本体１０の内部にウェットティシュー積層体Ｑを収納し、その最上部の一枚であるＰがフィルム９０を通り抜けてポップアップしている状態が描かれている。このフィルム９０には、例えば図８（ａ）に描かれるように直線状のスリットが設けられる。図８（ｂ）に描かれているフィルムは中心部の小円形の孔が設けられ、その周りに伸縮性のフィルムを設けた例である。図８（ｃ）は星型の形状のスリットを設けている。図８（ｄ）は波型形状である。図８（ｅ）は、中心部において、前後からの二枚のフィルムが一定幅で重なっている状態のものである。それを横から見た図が図８（ｆ）である。
【００６１】
これらのフィルムは、安定したポップアップをもたらすものである。すなわち、ポップアップする方向や、ポップアップするウェットティシューの高さなどを安定させる役割を果たす。フィルムは取出しがし易いように透明にして中の様子が見えるようにしてもよい。フィルム素材はＰＰ等のもの（ドライタイプのＢＯＸティシューで使用しているもの）などを使用できる。フィルムは容器本体１０の取出口１１の部分に裏側（内側）から接着することができる。容器本体１０に直接接着してもよいし、上述したアセンブリシャーシに接着してもよい。フィルムの接着は熱接着のほか、ホットメルト接着、超音波接着が可能であり、また容器成型時のインモールド成型等により接着することもできる。
容器本体１０に設けずに、包装袋天面取出口７１にフィルム９０を設けることとしてもよい。
【００６２】
≪実施形態６：ウェットティシュー取出口の方向、ウェットティシュー積層体の折方向と開閉方向との関係≫
図９は、上蓋の開閉方向と取出口の長手方向（ウェットティシュー積層体の折り方向）との関係を示す図である。図９（ａ）は容器本体１０の天面に設けられた取出口１１を上蓋２０がスライド移動して塞ぐ様子を模式的に示している。今、取出口１１にはその長手方向に沿った直線状のスリットがはいっているものとすると、ポップアップしたウェットティシューは図９（ｃ１）に示すように取出口１１の短手方向に倒れやすい。そして、図９（ｃ２）に示すように取出口１１の長手方向には倒れにくい、あるいは倒れる長さが短い。
【００６３】
ここで、ウェットティシュー積層体の折り方向は、折り目が延びる方向（エッジの方向）とする。図９（ｂ１）に描かれたように、ウェットティシュー積層体の折り方向が上蓋の開閉方向に垂直であると上蓋２０の開閉時に上蓋２０のスライドによりポップアップしたウェットティシューが全面的に倒れることで噛み込みが起きる。
それに対して、ウェットティシュー積層体の折り方向が上蓋の開閉方向に対して平行であると上蓋２０の開閉時に上蓋のスライドによりポップアップしたウェットティシューが開閉方向には倒れにくいので噛み込みが起きにくい。
【００６４】
図１０は、ウェットティシュー積層体の折り方向と、取出口方向と、蓋の開閉方式との関係を評価したことを示す図である。図１０（ａ）は、容器本体１０の天面に設けられた取出口１１と上蓋２０、そして上蓋２０のスライド開閉する方向を示している。
図１０（ｂ）は、ウェットティシュー積層体Ｑを示しており、折り方向は、折り目の方向（エッジの方向）と一致する。図１０（ｃ）は取出口１１の長手方向が開閉方向と平行な向きである様子を示している。図１０（ｄ）は取出口１１の長手方向が開閉方向と垂直な向きである様子を示している。
図１０（ｅ）の表に示すように、取出口方向の向きの如何にかかわらず、ウェットティシュー積層体の折り方向が上蓋２０の開閉方向と平行であれば、スライド開閉蓋における噛み込みを効果的に防止できることがわかった。また、オープン式（回動蓋）の場合には、折り方向を垂直にしても、噛み込み防止の効果はみられなかった。
【００６５】
≪実施形態７：舌片部（舌状体）を設ける≫
図１１は、ケース側パッキン１４の形状（舌片部を含む）を示す図である。図１１（ａ）、（ｂ）は横から見た形状を示し、図１１（ｃ），（ｄ），（ｅ）は平面図で示したものである。舌片部（舌状体）１４ａは、ケース側パッキン１４と一体成型して形成しているが、ケース側パッキン１４とは別体として形成して容器本体１０の裏側に設けてもよい。
舌片部（舌状体）１４ａは、図１１（ａ），（ｂ）に示すように、弓なり形状をするものとして構成できる。また、図３に示したようにまっすぐ延びるものであってもよい。また、舌片部１４ａを設ける個数は、１個でもよいし、２個、３個などの複数でもよい。図１１（ｃ）、（ｄ）の例では１個設けた例を示し、図１１（ｅ）では２個設けた例を示している。また、図２，３に示した例では３個である。
【００６６】
この舌片部（舌状体）が存在することにより、ポップアップするウェットティシューは、噛み込みや巻き込みをせずに、その通り道を効果的に規定される。また、舌片部がウェットティシューに接触することによりパッキンに薬液が転写されて、パッキンが濡れることによりパッキンの気密性が向上する。
【００６７】
≪実施形態８：ウェットティシュー積層体の折り幅を変える≫
図１２は、ウェットティシュー積層体の折り方を説明する概念図である。図１２（ａ）は、ウェットティシュー積層体Ｑのうちの三つの高さＡ，Ｂ，Ｃを示している。高さＡは、使い始めから間もない時期における高さである。高さＢは半分ほど使った後の高さである。高さＣは残り少なくなったときの高さである。
図１２（ｂ１）、（ｂ２）、（ｂ３）は、ウェットティシュー積層体における折方が全体にわたって同一であり、ポップアップするウェットティシューの高さが最上面から同一の高さとなっている様子を示している。この場合、容器本体１０の天面からポップアップしたウェットティシューの高さは、変化する。すなわち、使いはじめでは取出口１１から飛び出るウェットティシューの長さが長く、使い終わりに近づくにつれて短くなる。
【００６８】
ポップアップする高さがウェットティシュー積層体Ｑの最上部からどれだけの長さ（高さ）になるかは、折り幅により決定される。したがって、使いはじめではポップアップする高さが短く、使い終わりに近づくにつれて長くなるような折り方が可能である。図１２（ｂ４）、（ｂ５）、（ｂ６）はそのような折り方をしたウェットティシュー積層体Ｑのようすを示している。このような折り方をしたウェットティシュー積層体Ｑを用いれば、容器本体１０の取出口１１から飛び出るウェットティシューの高さ（長さ）をコントロールでき、その結果、噛み込みを防止することができる。
【００６９】
以上説明したウェットティシュー収納容器１によれば、上面に取出口１１を有し、内側に家庭用薄葉紙Ｐを収納するケース体（容器本体１０及びシャーシ３０）と、ケース体に対してスライド移動することで取出口１１を開閉させる蓋体としての上蓋２０と、上蓋２０を開放状態となる方向に付勢する付勢部材５０を有し、当該上蓋２０を開放状態となる方向にスライド移動させる可動機構（付勢部材５０、固定側係合部３３及び可動側係合部２２）と、付勢部材５０の付勢力に抗して上蓋２０が閉塞状態となるように係止するとともに、当該係止を解除可能な係止手段（爪部２３及び爪受部３４ｃ）と、を備えている。
すなわち、係止手段（爪部２３及び爪受部３４ｃ）による係止を解除すると、付勢部材５０の付勢力によって、取出口１１を閉塞していた上蓋２０がスライド移動して開放状態となり、取出口１１が開放されることとなる。
したがって、係止手段（爪部２３及び爪受部３４ｃ）による係止を解除するだけで付勢部材５０の付勢力によって自動的に上蓋２０が開くので、上蓋２０の開放動作が行いやすく、利便性が高い。
【００７０】
具体的には、付勢部材５０は、伸縮部材により構成され、可動機構は、ケース体（本実施形態の場合、シャーシ３０）に設けられ付勢部材５０の一端と係合する固定点としての固定側係合部３３と、上蓋２０に設けられ付勢部材５０の他端と係合する可動点としての可動側係合部２２と、を備えている。
なお、ウェットティシュー収納容器１に備える付勢部材５０の個数（本数）は、２つ（２本）に限ることはなく、適宜任意に変更可能であり、１つ（１本）であっても良いし、３つ（３本）以上あってもよい。また、固定側係合部３３や可動側係合部２２の個数は、付勢部材５０の個数に応じて、適宜任意に変更可能である。
また、上蓋２０が、ケース体の外側でスライド移動するように構成したが、これに限ることはなく、上蓋２０が、ケース体の内側でスライド移動して、上蓋２０の開放状態において上蓋２０の大部分（例えば、可動側指掛部２５を除く部分）がケース体内に収まるように構成することも可能である。
【００７１】
また、以上説明したウェットティシュー収納容器１によれば、上蓋２０は、当該上蓋２０の状態にかかわらず、外部から視認不能に付勢部材５０を遮蔽している。したがって、ウェットティシュー収納容器１の美観が向上する。
また、付勢部材５０が触られることを防止することができるので、付勢部材５０に汚れが付きにくく、付勢部材５０に指等が挟まる心配もなく、衛生的に安全に使用することができるとともに、付勢部材５０が、取り外されてしまったり、取り外されて誤飲されてしまったりすることを防止することができる。
【００７２】
また、以上説明したウェットティシュー収納容器１によれば、上蓋２０が開放状態となる際の衝撃を吸収するダンパー２４ａ，２７ａを備えている。
すなわち、上蓋２０は付勢部材５０の付勢力によって自動的に開くが、その際の衝撃がダンパー２４ａ，２７ａによって吸収されるので、上蓋２０が開放状態となる際の衝撃に伴う上蓋２０やケース体（本実施形態の場合、主に容器本体１０）の磨耗を抑制したり、上蓋２０が開放状態となる際に生じる衝突音を軽減したりすることができる。
【００７３】
また、以上説明したウェットティシュー収納容器１によれば、ケース体（本実施形態の場合、シャーシ３０）には、上蓋２０のスライド移動をガイドするためのレール部３１ａが設けられ、上蓋２０には、レール部３１ａに対してスライド移動可能に係合するスライド部２４が設けられている。
すなわち、上蓋２０はスライド移動することによって取出口１１を開閉させるが、そのスライド移動がレール部３１ａによってガイドされるので、上蓋２０をスムーズかつ確実に開閉することができる。
【００７４】
また、以上説明したウェットティシュー収納容器１によれば、上面に取出口１１を有し、内側に家庭用薄葉紙Ｐを収納するケース体（容器本体１０及びシャーシ３０）と、ケース体に対してスライド移動することで取出口１１を開閉させる蓋体としての上蓋２０と、上蓋２０が閉塞状態となるように係止するとともに、当該係止を解除可能な係止手段（爪部２３及び爪受部３４ｃ）と、を備え、上蓋２０には、可動側指掛部２５が設けられ、ケース体（本実施形態の場合、シャーシ３０）のうち係止手段（本実施形態の場合、爪受部３４ｃ）よりも上蓋２０の閉塞状態となる方向側には、固定側指掛部３５が設けられている。
すなわち、可動側指掛部２５に指を掛けて上蓋２０に閉塞状態となる方向（本実施形態の場合、右方向）の力を加えることができるだけでなく、上蓋２０を閉める際に、閉塞状態となる方向の力が上蓋２０だけでなくケース体（容器本体１０及びシャーシ３０）に加わってしまっても、固定側指掛部３５に指を掛けてケース体に逆方向の力を作用させてケース体を固定しておくことができるので、ケース体が滑ってしまうことがない。
したがって、片手で上蓋２０を閉めることができ、上蓋２０の閉塞動作が行いやすい。
【００７５】
特に、上蓋２０を開放状態となる方向に付勢する付勢部材５０を備えているので、上蓋２０を閉める際に、上蓋２０の閉塞状態となる方向の力として、付勢部材５０の付勢力に抗する力を上蓋２０に加えることとなる。その際に、付勢部材５０の付勢力によって、付勢部材５０の付勢力に抗する力と同じ方向の力がケース体に加わるので、ケース体は上蓋２０の閉塞状態となる方向側に滑りやすいが、固定側指掛部３５を設けることで、ケース体が滑らないように、固定側指掛部３５に指を掛けてケース体を固定しておくことができる。
なお、ウェットティシュー収納容器１に上蓋２０を開放状態となる方向に付勢する付勢部材５０を設けたが、これに限ることはなく、ウェットティシュー収納容器１に付勢部材５０を設けなくてもよい。ウェットティシュー収納容器１に付勢部材５０を設けない場合には、可動側指掛部２５と固定側指掛部３５との双方に指を掛けて上蓋２０を開閉することができる。したがって、片手で上蓋２０を開閉することができ、上蓋２０の開閉動作が行いやすい。
【００７６】
また、以上説明したウェットティシュー収納容器１によれば、ケース体（本実施形態の場合、シャーシ３０）は、係止手段（爪部２３及び爪受部３４ｃ）による係止を解除する際に押圧されるスイッチ部３４を備え、固定側指掛部３５は、スイッチ部３４に離間してケース体（本実施形態の場合、シャーシ３０）に設けられた突起部である。
具体的には、ケース体は、容器本体１０と、当該容器本体１０の上面に固定されるシャーシ３０と、を備え、上蓋２０は、シャーシ３０に取り付けられ、固定側指掛部３５は、シャーシ３０の端部（本実施形態の場合、上壁部３２の右端部）を上側に向けて起立させることにより形成された突起部である。
したがって、固定側指掛部３５がスイッチ部３４に離間して設けられているので、固定側指掛部３５に掛けた指でスイッチ部３４を誤操作してしまうことを防止することができ、上蓋２０を片手で確実に閉めることができる。
なお、スイッチ部３４を回動可能に構成したが、これに限ることはなく、スイッチ部３４を押圧することで係止手段（爪部２３及び爪受部３４ｃ）による係止を解除できるのであれば、スイッチ部３４の構成は適宜任意に変更可能であり、例えば、スイッチ部３４は上下方向に揺動可能に構成しても良い。
また、スイッチ部３４や固定側指掛部３５を設ける箇所は、スイッチ部３４や固定側指掛部３５が容器本体１０の平面（上面）視外形からはみ出さないのであれば、適宜任意に変更可能である。
【００７７】
また、以上説明したウェットティシュー収納容器１によれば、上面に取出口１１を有し、内側に家庭用薄葉紙Ｐを収納するケース体と、ケース体に対してスライド移動することで取出口１１を開閉させる蓋体としての上蓋２０と、上蓋２０を開放状態となる方向に付勢する付勢部材５０と、を備え、ケース体は、容器本体１０と、当該容器本体１０の上面に固定されるシャーシ３０と、を備え、付勢部材５０と上蓋２０とは、シャーシ３０に組み付けられて一体に構成されたアセンブリ体Ａの状態で、容器本体１０に取り付けられている。
具体的には、本実施形態において、容器本体１０は、上面に凹部１３を有し、取出口１１は当該凹部１３に設けられ、アセンブリ体Ａは、凹部１３内に当該凹部１３の上方から嵌め込まれている。
また、以上説明したウェットティシュー収納容器１の製造方法によれば、シャーシ３０に、付勢部材５０と上蓋２０とを組み付けてアセンブリ体Ａを形成し、次いで、アセンブリ体Ａを容器本体１０に取り付けるようになっている。
したがって、上蓋２０と付勢部材５０とを別々に容器本体１０に取り付ける必要がないので、組み立てやすい。
【００７８】
なお、取出口１１の下側には、ケース側パッキン１４につながる部分として舌片部１４ａが設けられて、ウェットティシューのポップアップを調整する役目を果たす。図２に示す例では、この舌片部１４ａは取出口１１のプッシュボタンに近い側と遠い側とでは向きを異ならせて設けている。すなわち、プッシュボタンに近い側は、水平に設けているのに対し、遠い側では舌片部の先が下に降りるように延びている。ウェットティシューのポップアップした部分がプッシュボタンからは遠い側になびくように工夫したものである。これにより、ウェットティシューを噛み込むことを防止している。上蓋２０が閉じる際に、ウェットティシューを噛み込むと、当該ウェットティシューを使えなくなる場合があるのみならず、密閉性が悪くなり、内部のウェットティシューに浸透している薬液の揮発が生じる可能性があるからである。
【００７９】
なお、本発明は、上記実施形態１〜８に限定されるものではなく、具体的な構造について適宜変更可能であるのは勿論である。
【符号の説明】
【００８０】
１  ウェットティシュー収納容器
１０  容器本体
１０ａ  上面部
１０ｂ  周面部
１１  取出口
１２  底面開口
１３  凹部
１３ａ  底面部
１４  ケース側パッキン（第１境界部）
１４ａ  舌片部
１５、１６  横穴部
２０  上蓋
２１  蓋側パッキン（第２境界部）
２２  可動側係合部
２３  爪部
２４  スライド部
２５  可動側指掛部
２６  指載置部
２７  突片部
３０  シャーシ
３１  枠部
３１ａ  レール部
３１ｂ  支持部
３１ｃ  連結部
３２  上壁部
３３  固定側係合部
３４  スイッチ部
３４ａ  操作面
３４ｂ  軸部
３４ｃ  爪受部
３５  固定側指掛部
３６  水平リブ
３７  コーナーリブ（リブ）
３８  スタック支持リブ
４０  底蓋
５０  付勢部材
５５  中間接続具
６０  アセンブリシャーシ
７０  ウェットティシュー包装袋
７１  包装袋天面取出口
８０  回動開閉蓋の容器
８１  回動開閉蓋の容器の取出口
８５  パッキン部分
９０  フィルム
Ｐ  家庭用薄葉紙（ウェットティシュー）
Ｑ  薄葉紙（ウェットティシュー）積層体
Ｓ  収納空間部
【図１】
0006043496.tif 000002
【図２】
0006043496.tif 000003
【図３】
0006043496.tif 000004
【図４】
0006043496.tif 000005
【図５】
0006043496.tif 000006
【図６】
0006043496.tif 000007
【図７】
0006043496.tif 000008
【図８】
0006043496.tif 000009
【図９】
0006043496.tif 000010
【図１０】
0006043496.tif 000011
【図１１】
0006043496.tif 000012
【図１２】
0006043496.tif 000013